【手続補正書】
【提出日】平成15年4月22日(2003.4.22)
【手続補正１】
【補正対象書類名】明細書
【補正対象項目名】特許請求の範囲
【補正方法】変更
【補正の内容】
【特許請求の範囲】
【請求項１】
トラッキングデバイス（１７）と、少なくとも２つの感光領域を有する光検出器（２０）と、差動位相検出法によってトラッキングを行うための位相比較器（１）とを具備しており、前記位相比較器（１）が前記少なくとも２つの感光領域の第１及び第２の領域にそれぞれ関連する第１及び第２の入力信号（ＩＮ１、ＩＮ２）を有しており、前記トラッキングデバイス（１７）が前記位相比較器（１）の第１及び第２の出力信号（ＯＵＴ１、ＯＵＴ２；ＥＮＡ、ＱＯＵＴＱ、ＳＧＮ）の両方から形成されるトラッキング信号（ＴＥ）に応じる形でスキャニングビームを制御し、前記出力信号（ＯＵＴ１、ＯＵＴ２；ＥＮＡ、ＱＯＵＴＱ、ＳＧＮ）が前記第１及び第２の入力信号の位相差の量及び該位相差の符号を表している、光記録媒体から読出しする及び／又は光記録媒体へ書込みする装置におけるトラッキング方法であって、
スキャニングビームが前記光記録媒体のトラック中心を横切ったことを示す第１の制御信号と、スキャニングビームによって現在検出された光記録媒体の領域がトラックであるのか又は２つのトラック間の領域であるのかを提示する第２の制御信号との両方が、前記位相比較器（１）の両方の出力信号（ＯＵＴ１、ＯＵＴ２；ＥＮＡ、ＱＯＵＴＱ、ＳＧＮ）から形成され、トラックジャンプ動作中、前記トラッキングデバイス（１７）を制御するために使用されることを特徴とするトラッキング方法。
【請求項２】
前記第１の制御信号が、前記位相比較器（１）の出力信号（ＯＵＴ１、ＯＵＴ２）における、該位相比較器（１）の入力信号（ＩＮ１、ＩＮ２）間の時間差を表す時間差値及び関連する極性を評価することによって形成されることを特徴とする請求項１に記載の方法。
【請求項３】
前記第１の制御信号が、前記位相比較器（１）の出力信号（ＯＵＴ１、ＯＵＴ２）における、個々の時間差値及び関連する極性を統計学的に評価することによって形成されることを特徴とする請求項２に記載の方法。
【請求項４】
前記第２の制御信号が、前記位相比較器（１）の出力信号（ＯＵＴ１、ＯＵＴ２）における、該位相比較器（１）の入力信号（ＩＮ１、ＩＮ２）間の時間差を表す、時間差値の大きさを評価することによって形成されることを特徴とする請求項１から３のいずれか１項に記載の方法。
【請求項５】
前記第２の制御信号が、前記位相比較器（１）の出力信号（ＯＵＴ１、ＯＵＴ２）の個々の時間差値の大きさを統計学的に評価することによって形成されることを特徴とする請求項４に記載の方法。
【請求項６】
前記第２の制御信号が、前記位相比較器（１）の出力信号（ＯＵＴ１、ＯＵＴ２）内に含まれておりかつ前記第２の制御信号の生成において考慮される意図のないエッジシーケンスについての提示を含んでいる第３の制御信号（ＱＵＡＬＩＴＹ）によって訂正されることを特徴とする請求項１から５のいずれか１項に記載の方法。
【請求項７】
前記第３の制御信号（ＱＵＡＬＩＴＹ）が、前記位相比較器（１）の入力信号（ＩＮ１、ＩＮ２）から抽出されることを特徴とする請求項６に記載の方法。
【請求項８】
前記第３の制御信号（ＱＵＡＬＩＴＹ）が、スキャニングビームによって現在検出された光記録媒体の領域が２つのトラック間の領域であることを示していることを特徴とする請求項６又は７に記載の方法。
【請求項９】
スキャニングビームによって現在検出された光記録媒体の領域が乱されたかどうかを提示する第３の制御信号（ＱＵＡＬＩＴＹ）が前記位相比較器（１）の入力信号（ＩＮ１、ＩＮ２）から生成され、該第３の制御信号（ＱＵＡＬＩＴＹ）が前記トラッキングデバイス（１７）を制御するために使用されることを特徴とする請求項１から８のいずれか１項に記載の方法。
【請求項１０】
トラッキングデバイス（１７）と、少なくとも２つの感光領域を有する光検出器（２０）と、差動位相検出法によってトラッキングを行うための位相比較器（１）とを具備しており、前記位相比較器（１）が前記少なくとも２つの感光領域の第１及び第２の領域にそれぞれ関連する第１及び第２の入力信号（ＩＮ１、ＩＮ２）を有すると共に前記第１及び第２の入力信号の位相差の量及び該位相差の符号を表す第１及び第２の出力信号（ＯＵＴ１、ＯＵＴ２；ＥＮＡ、ＱＯＵＴＱ、ＳＧＮ）を提供し、前記第１及び第２の出力信号（ＯＵＴ１、ＯＵＴ２；ＥＮＡ、ＱＯＵＴＱ、ＳＧＮ）の両方からトラッキング信号（ＴＥ）を発生する手段がさらに具備された、光記録媒体から読出しする及び／又は光記録媒体へ書込みする装置であって、
前記位相比較器（１）の第１及び第２の出力信号（ＯＵＴ１、ＯＵＴ２；ＥＮＡ、ＱＯＵＴＱ、ＳＧＮ）の両方に従い、スキャニングビームが前記光記録媒体のトラック中心を横切ったことを示す第１の制御信号を生成する第１の信号発生デバイス（４、５）と、前記位相比較器（１）の前記同一の第１及び第２の出力信号（ＯＵＴ１、ＯＵＴ２；ＥＮＡ、ＱＯＵＴＱ、ＳＧＮ）に従い、スキャニングビームによって現在検出された光記録媒体の領域がトラックであるのか又は２つのトラック間の領域であるのかを提示する第２の制御信号を生成する第２の信号発生デバイス（６、７）とを備えており、トラックジャンプ動作中、前記トラッキングデバイス（１７）が前記第１の制御信号及び前記第２の制御信号に従って制御されることを特徴とする光記録媒体から読出しする及び／又は光記録媒体へ書込みする装置。
【請求項１１】
前記第１の信号発生デバイス（４、５）が、前記第１の制御信号を、前記位相比較器（１）の出力信号（ＯＵＴ１、ＯＵＴ２）における、該位相比較器（１）の入力信号（ＩＮ１、ＩＮ２）間の時間差を表す時間差値及び関連する極性の評価に応じて形成するように構成されていることを特徴とする請求項１０に記載の装置。
【請求項１２】
前記第１の信号発生デバイス（４、５）が、前記第１の制御信号を、前記位相比較器（１）の出力信号（ＯＵＴ１、ＯＵＴ２）における、個々の時間差値及び関連する極性の統計学的評価に応じて形成するように構成されていることを特徴とする請求項１１に記載の装置。
【請求項１３】
前記第２の信号発生デバイス（６、７）が、前記第２の制御信号を、前記位相比較器（１）の出力信号（ＯＵＴ１、ＯＵＴ２）における、該位相比較器（１）の入力信号（ＩＮ１、ＩＮ２）間の時間差を表す、時間差値の大きさの評価に応じて形成するように構成されていることを特徴とする請求項１０から１２のいずれか１項に記載の装置。
【請求項１４】
前記第２の信号発生デバイス（６、７）が、前記第２の制御信号を、前記位相比較器（１）の出力信号（ＯＵＴ１、ＯＵＴ２）の個々の時間差値の大きさの統計学的評価に応じて形成するように構成されていることを特徴とする請求項１３に記載の装置。
【請求項１５】
前記位相比較器（１）の出力信号（ＯＵＴ１、ＯＵＴ２）内に含まれておりかつ前記第２の制御信号の生成において考慮される意図のないエッジシーケンスについての提示を含んでいる第３の制御信号（ＱＵＡＬＩＴＹ）を生成する訂正信号発生デバイス（８〜１１）を備えていることを特徴とする請求項１０から１４のいずれか１項に記載の装置。
【請求項１６】
前記訂正信号発生デバイス（８〜１１）が、前記位相比較器（１）に送られる入力信号（ＩＮ１、ＩＮ２）を監視し、前記位相比較器（１）の一方の入力信号の特定のエッジシーケンスが該位相比較器（１）の他方の入力信号内にも含まれているかどうかを調べ、該位相比較器（１）の入力信号において１つより多いエッジの順序が異なっているかどうかに応じて訂正信号（ＱＵＡＬＩＴＹ）を生成するように構成されていることを特徴とする請求項１５に記載の装置。
【請求項１７】
前記第１の出力信号（ＯＵＴ１）が前記第２の入力信号（ＩＮ２）に対して前記第１の入力信号（ＩＮ１）の位相が先行する量を表しており、前記第２の出力信号（ＯＵＴ２）が前記第１の入力信号（ＩＮ１）に対して前記第２の入力信号（ＩＮ２）の位相が先行する量を表していることを特徴とする請求項１に記載の方法又は請求項１０に記載の装置。
【請求項１８】
前記第１の出力信号（ＥＮＡ）が前記第１の入力信号（ＩＮ１）及び前記第２の入力信号（ＩＮ２）間の位相差を表しており、前記第２の出力信号（ＱＯＵＴＱ、ＳＧＮ）が前記第１及び第２の入力信号（ＥＮＡ、ＱＯＵＴＱ、ＳＧＮ）のうちのどちらの位相が先行するかを表していることを特徴とする請求項１に記載の方法又は請求項１０に記載の装置。